(57)【特許請求の範囲】
【請求項１】
少なくとも底板に四本の柱を立設し、前記柱の上部に天板を取り付け本体を構成すると共に、側面をパネルで被覆して成る各種機器を収納する機器収納用ラックにおいて、
前記柱には固定用ねじ穴を設け、前記機器を前面から固定可能なマウントアングル部と前記機器の後方側面を固定可能なマウントレール部とを一体に設けるマウントアングルの、前記マウントアングル部と前記マウントレール部の夫々に前記柱へ取り付けるための螺子挿通孔を設け、前記固定用ねじ穴と前記螺子挿通孔を対向させ、ねじを挿通し締め付け固定することを特徴とする機器収納用ラックの構造。
【請求項２】
前記機器収納用ラックにおいて、前記柱には、固定用ねじ穴を複数または、長穴形状に設けること特徴とする請求項１に記載の機器収納用ラックの構造。
【発明の詳細な説明】
【０００１】
【発明の属する技術分野】
少なくとも底板に四本の柱を立設し、前記柱の上部に天板を取り付け本体を構成すると共に、側面にはパネル等で被覆して成る機器収納用ラックに関する。
【０００２】
【従来の技術】
従来技術における機器収納用ラック３１は、図４に示すように、底板３２に四本の柱３３を立設し、柱３３の上部には天板３４を取り付け本体３５を構成していた。柱３３にサイドレール３６を渡し、サイドレール３６にマウントアングル３７やマウントレール３８を取り付けていた。機器を取り付けるには、マウントアングル３７に機器をねじ止めし、機器が重かったり大きかったりした場合に、マウントレール３８に機器の後部を支持していた。本体は、左右前方と後方の四本の柱３３と、左右前方二本のマウントアングル３７と左右後方二本のマウントレール３８の八本で囲われていた。または、図５〜図６に示すように、柱３９にマウントレール部４０を延設し、機器を取り付けるためのマウントアングル４１を柱３９に取り付け、ラック４２の本体４３を形成していた。柱３９にはマウントアングル４１を取り付けるためのねじ穴４４を細かいピッチで設けていた。大きな機器や重量のある機器を取り付けるときは、ラック４２の後方の柱に延設されたマウントレール部４０にＬ型レール４５等を渡し、Ｌ型レール４５で機器を支持していた。
【０００３】
【発明が解決しようとする課題】
しかしながら、上記図４に示す従来技術における機器収納用ラック３１では、機器をマウントアングル３７やマウントレール３８に取り付けるときに、柱３３が邪魔になり、配線が困難となっていた。また、マウントアングル３７やマウントレール３８を本体３５に取り付けるために、サイドレール３６が必要となり、部品管理も煩雑になると共に、取り付け作業も面倒なものとなっていた。上記図５〜図６に示す従来技術における機器収納用ラック４２では、ねじ穴４４が狭い幅で形成されていたため、機器のマウント位置の調整はわずかしかできないという欠点があった。また、柱に延設されたマウントレール部４０とラック４２の後方の柱のマウントレール部４０との間の距離は固定されていて、マウントアングル４１を移動させた場合、機器の取り付け位置（マウントアングル４１の取り付け位置）から、Ｌ型レール４５の取り付け位置までの距離がＸ、Ｙ、Ｚとそれぞれ異なってしまうので、Ｌ型レール４５からマウントアングル４１の取り付け位置まで、機器を支持するものがなく不安定になる虞があった。
【０００４】
【課題を解決するための手段】
そこで本発明は、簡単な構造で、マウントアングルは、従来のマウントアングルとマウントレールの機能を一体に形成した機器収納用ラックを提供することを目的とし、その構造は、柱には固定用ねじ穴を設け、機器を前面から固定可能なマウントアングル部と機器の後方側面を固定可能なマウントレール部とを一体に設けるマウントアングルの、マウントアングル部とマウントレール部の夫々に柱へ取り付けるための螺子挿通孔を設け、固定用ねじ穴と螺子挿通孔を対向させ、ねじを挿通し締め付け固定することを特徴とする。
【０００５】
また、柱には、固定用ねじ穴を複数または、長穴形状に設けること特徴とする。
【０００６】
【発明の実施の形態】
本発明に係る機器収納用ラックは、マウントアングル部にマウントレール部を延設したマウントアングルを柱に取り付け、ラックから側板を取り除いたときに、四本の柱と底板、天板とから本体を形成する。柱には、マウントアングルを取り付けるためのねじ穴を、マウントアングルの位置が変更可能であるように設ける。取り付け機器の大きさによって、マウントアングルが移動でき、また、マウントアングルには、マウントアングル部とマウントレール部とが一体に形成されているので、マウントアングルを移動させたとき、マウントレール部も移動する。
【０００７】
また、本発明の請求項２に係る機器収納用ラックは、マウントアングル部にマウントレール部を延設したマウントアングルを柱に取り付け、ラックから側板を取り除いたときに、四本の柱と底板、天板とから本体を形成する。柱には、マウントアングルを取り付けるためのねじ穴を、マウントアングルの位置が変更可能であるように、複数、または長穴形状に設ける。取り付け機器の大きさによって、マウントアングルが移動でき、また、マウントアングルには、マウントアングル部とマウントレール部とが一体に形成されているので、マウントアングルを移動させたとき、マウントレール部も移動し、マウントアングル部の螺子挿通孔とマウントレール部の螺子挿通孔との間の距離は変わらない。
【実施例】
本発明に係る機器収納用ラックの実施例を図１〜図３の添付図面に基づいて説明する。
【０００８】
機器収納用ラック１の本体２は、底板３に四本の柱４を立設し、柱４の上部に天板５を取り付けて構成している。本体２の側面部は、パネル６や扉体７で被覆する。本体２の前面側の柱４には、マウントアングル８を取り付け、背面側の柱４には、機器を側面より支持するマウントレール９を取り付ける。マウントアングル８は、機器を本体２の前面からねじ止めできるように折曲形成されている。マウントレール９は、マウントアングル８にねじ止めされた機器を、後方側面でねじ止め等により支持する。
収納される機器は、直接マウントアングル８にねじ止めしたり、マウントアングル８とマウントレール９とにＬ型レール１６等をねじ止めし、Ｌ型レール１６に機器を載置したりする。
【０００９】
マウントアングル８は、マウントアングル部１０とマウントレール部１１とが一体に形成され、機器収納用ラック１の柱４に取り付けられる。マウントアングル部１０とマウントレール部１１にはそれぞれ螺子挿通孔１２ａ、１２ｂを設け、柱４には、これら螺子挿通孔１２ａ、１２ｂに対向する位置に、ねじ穴１３と固定穴１４とを設ける。螺子挿通孔１２ａ、１２ｂをそれぞれねじ穴１３と固定穴１４とに一致させ、螺子１５を挿通し締め付け、柱４にマウントアングル８を取り付ける。
【００１０】
機器は、直接マウントアングル８にねじ止めし後方をレール９に支持させるか、マウントアングル８とレール９に台板（図示せず）を取り付け、台板に機器を載置する。マウントアングル８に取り付けるものの大きさによって、マウントアングル８の位置は変更可能である。また、マウントアングル８の位置を移動させても、マウントアングル部１０とマウントレール部１１とが一体に形成されているので、マウントレール部１１も同じく移動し、マウントアングル部１０の螺子挿通孔１２ａの位置とマウントレール部１１の螺子挿通孔１２ｂの位置は一定であり、マウントアングル８にＬ型レール１６をマウントレール部１１に取り付けたとき、Ｌ型レール１６の前面とマントアングル８の前面との距離Ｌは一定になる。
【００１１】
本発明の請求項２に係る機器収納用ラック１は、柱４にはピッチを広くとったねじ穴１３と、長穴形状の固定穴１４を設け、マウントアングル８には、柱４に設けられたねじ穴１３と固定穴１４とにそれぞれ対向する位置に螺子挿通孔１２ａ、１２ｂを設ける。螺子挿通孔１２ａ、１２ｂをそれぞれねじ穴１３と固定穴１４とに対向させ、螺子１５を挿通し締め付け、柱４にマウントアングル８を取り付ける。
【００１２】
機器は、直接マウントアングル８にねじ止めし後方をレール１７に支持させるか、マウントアングル８とレール９に台板を取り付け、台板に機器を載置する。マウントアングル８に取り付けるものの大きさによって、マウントアングル８の位置は柱４に設けられたねじ穴１３と固定穴１４によって変更可能である。また、マウントアングル８の位置を移動させても、マウントアングル部１０とマウントレール部１１とが一体に形成されているので、マウントレール部１１も同じく移動し、マウントアングル部１０の螺子挿通孔１２ａ、１２ｂの位置とマウントレール部１１の螺子挿通孔１２ａ、１２ｂの位置は一定である。
【００１３】
また、本発明に係る機器収納用ラックは、上記示したように、マウントアングルを機器収納用ラックの前方に取り付ける場合のみに限定されるものではなく、後方の柱に同様の構造のマウントアングルを取り付けてもよい。
【００１４】
【発明の効果】
以上述べたように本発明に係る機器収納用ラックは、柱には、固定用ねじ穴を設け、マウントアングルは、マウントアングル部にマウントレール部を延設すると共に、柱へ取り付けるための螺子挿通孔を設け、固定用ねじ穴と螺子挿通孔を対向させ、ねじを挿通し締め付け固定するため、設置場所で容易にマウントアングルの取り付け位置をマウントレール部と共に変更可能である。そして、マウントアングル部のねじ穴とマウントレール部のねじ穴との距離が常に一定であるので、いつも安定して機器を載置することができる。
【００１５】
また、柱には、固定用ねじ穴を複数または、長穴形状に設けるため、マウントアングルの取り付け位置を移動させた場合、マウントアングル部とマウントレール部とは同じく移動するので、マウントアングル部に設けられた螺子挿通孔とマウントレール部に設けられた螺子挿通孔との距離はいつも一定であるので、いつも安定して機器を載置することができる。
【図面の簡単な説明】
【図１】本発明に係る機器収納用ラックの説明図である。
【図２】図１におけるＡ部拡大図である。
【図３】図２における断面図である。
【図４】従来技術における機器収納用ラックの説明図である。
【図５】従来技術における機器収納用ラックの説明図である。
【図６】図５におけるＢ部拡大図である。
【図７】図６における断面図である。
【符号の説明】
１      機器収納用ラック
２      本体
３      底板
４      柱
５      天板
６      パネル
７      扉体
８      マウントアングル
９      マウントアングル部
１１    マウントレール部
１２ａ  螺子挿通孔
１２ｂ  螺子挿通孔
１３    ねじ穴
１４    固定穴
１５    ねじ
１６    Ｌ型レール
【図１】
0004592047.tif 000002
【図２】
0004592047.tif 000003
【図３】
0004592047.tif 000004
【図４】
0004592047.tif 000005
【図５】
0004592047.tif 000006
【図６】
0004592047.tif 000007
【図７】
0004592047.tif 000008